(57)【要約】【課題】構造の簡素化を図りつつ、シールド性を向上させること。【解決手段】レセプタクルモジュール１２は、被検体に接触または挿入される先端装置のコネクタが着脱自在に接続される。このレセプタクルモジュール１２は、コネクタが着脱自在に接続されるレセプタクル１３１が実装されたレセプタクル基板１３と、レセプタクル１３１を介して先端装置に導通する患者回路部１４１と、レセプタクル基板１３に対してレセプタクル１３１が実装された面１３ａとは反対側の面１３ｂに装着され、レセプタクル１３１が実装された面とは反対側から患者回路部１４１を覆う導電性のシールド部材１５とを備える。【選択図】図４
2019150403.tif 000002
【特許請求の範囲】
【請求項１】
被検体に接触または挿入される先端装置のコネクタが着脱自在に接続されるレセプタクルモジュールであって、
前記コネクタが着脱自在に接続されるレセプタクルが実装されたレセプタクル基板と、
前記レセプタクルを介して前記先端装置に導通する患者回路部と、
前記レセプタクル基板に対して前記レセプタクルが実装された面とは反対側の面に装着され、当該レセプタクルが実装された面とは反対側から前記患者回路部を覆う導電性のシールド部材とを備える
ことを特徴とするレセプタクルモジュール。
【請求項２】
前記レセプタクル基板及び前記シールド部材の間に配置され、前記レセプタクルが実装された面とは反対側から当該シールド部材に覆われる患者基板をさらに備え、
前記患者回路部は、
前記レセプタクル基板に設けられ、前記レセプタクルに導通する第１患者回路部と、
前記患者基板に設けられ、前記第１患者回路部に導通する第２患者回路部とを備える
ことを特徴とする請求項１に記載のレセプタクルモジュール。
【請求項３】
前記レセプタクル基板及び前記患者基板は、
互いに対向する姿勢で配置される
ことを特徴とする請求項２に記載のレセプタクルモジュール。
【請求項４】
前記患者回路部は、
前記レセプタクル基板に設けられ、前記レセプタクルに導通する第１患者回路部を備え、
前記レセプタクル基板には、
前記第１患者回路部を囲み、当該第１患者回路部に対して電気的に絶縁されているとともに絶縁伝送部を介して接続された２次回路部が設けられ、
前記シールド部材は、
前記レセプタクル基板に装着されて前記２次回路部の基準電位に設定される
ことを特徴とする請求項１〜３のいずれか一つに記載のレセプタクルモジュール。
【請求項５】
前記絶縁伝送部は、
前記レセプタクルが実装された面とは反対側から前記シールド部材にて覆われる
ことを特徴とする請求項４に記載のレセプタクルモジュール。
【請求項６】
前記患者回路部は、
前記レセプタクル基板に設けられ、前記レセプタクルに導通する第１患者回路部を備え、
前記シールド部材は、
前記レセプタクル基板に装着されて前記第１患者回路部の基準電位に設定される
ことを特徴とする請求項１〜３のいずれか一つに記載のレセプタクルモジュール。
【請求項７】
前記レセプタクル基板には、
導電性のシールドパターンが設けられ、
前記患者回路部は、
前記シールドパターン及び前記シールド部材にて囲まれる
ことを特徴とする請求項１〜６のいずれか一つに記載のレセプタクルモジュール。
【請求項８】
前記シールド部材は、
前記レセプタクル基板に設けられたベース部と、
前記ベース部に装着されるシールドケースとを備える
ことを特徴とする請求項１〜７のいずれか一つに記載のレセプタクルモジュール。
【請求項９】
被検体に接触または挿入される先端装置と、
前記先端装置のコネクタが着脱自在に接続される、請求項１〜８のいずれか一つに記載のレセプタクルモジュールとを備える
ことを特徴とする医療機器。
【発明の詳細な説明】
【技術分野】
【０００１】
本発明は、レセプタクルモジュール及び医療機器に関する。
【背景技術】
【０００２】
従来、被検体に接触または挿入される電子スコープ等の先端装置を備えた医療機器において、患者回路と２次回路とを電気的に絶縁した構成が知られている（例えば、特許文献１参照）。
患者回路は、通常、保護接地されていないフローティング回路として構成される。このため、患者回路自体がアンテナとして機能し、外部から当該患者回路へのノイズの混入、あるいは、当該患者回路から外部へのノイズの送信が行われ易いものである。このため、特許文献１に記載の医療機器（内視鏡撮像装置）では、先端装置を含む患者回路のうち、当該先端装置に導通する患者回路部をシールド部材（患者回路部シールドケース）にて覆っている。
【先行技術文献】
【特許文献】
【０００３】
【特許文献１】特開平２−１９３６３４号公報
【発明の概要】
【発明が解決しようとする課題】
【０００４】
図１６及び図１７は、従来の医療機器における課題を説明する図である。
ところで、電子スコープ等の先端装置のコネクタに着脱自在に接続されるレセプタクル１３１Ｅと、患者基板１４Ｅとを纏めたレセプタクルモジュール１２Ｅ，１２Ｆを構成する場合には、例えば、図１６及び図１７に示した構成が考えられる。
図１６に示したレセプタクルモジュール１２Ｅは、レセプタクル基板１３Ｅと、患者基板１４Ｅと、シールド部材１５Ｅとを備える。
レセプタクル基板１３Ｅは、配線パターンが設けられ、当該配線パターンに導通するようにレセプタクル１３１Ｅが実装されたプリント基板である。
患者基板１４Ｅは、配線パターンが設けられ、当該配線パターンに導通するように電子部品が実装されたプリント基板である。この患者基板１４Ｅは、図１６に示すように、レセプタクル基板１３Ｅに対して直交する姿勢で配置される。また、患者基板１４Ｅに設けられた配線パターンは、ハーネスＨａ（図１６）を介してレセプタクル基板１３Ｅに設けられた配線パターンに導通する。
そして、レセプタクル基板１３Ｅに設けられた配線パターン、患者基板１４Ｅに設けられた配線パターンや電子部品、及びハーネスＨａは、先端装置を含む患者回路のうち、当該先端装置に導通する患者回路部として機能する。
【０００５】
シールド部材１５Ｅは、導電性材料から構成され、全体略直方体形状を有し、一つの側面が開口した容器状に形成されている。また、シールド部材１５Ｅにおいて、容器状の側面には、レセプタクル１３１Ｅを挿通するための開口部１５４（図１６）が形成されている。そして、シールド部材１５Ｅは、図１６に示すように、開口部１５４にレセプタクル１３１Ｅが挿通された状態で、容器状の開口部分が患者基板１４Ｅにおける配線パターンや電子部品が設けられた面に装着され、患者回路部を覆う。
しかしながら、図１６に示した構成では、シールド部材１５Ｅに開口部１５４を形成している。また、レセプタクルモジュール１２Ｅの組立性を考慮すると、シールド部材１５Ｅを２体等に分割する必要がある。このため、シールド部材１５Ｅの構造が複雑化してしまう、という問題がある。
【０００６】
そこで、シールド部材１５Ｅの構造の簡素化を図るために、図１７に示したレセプタクルモジュール１２Ｆを採用することが考えられる。
レセプタクルモジュール１２Ｆは、図１７に示すように、レセプタクル基板１３Ｅと、患者基板１４Ｅと、第１，第２シールド部材１５Ｆ１，１５Ｆ２とを備える。
第１，第２シールド部材１５Ｆ１，１５Ｆ２は、導電性材料からそれぞれ構成され、全体略直方体形状をそれぞれ有し、一つの側面が開口した容器状にそれぞれ形成されている。そして、第１シールド部材１５Ｆ１は、図１７に示すように、開口部分がレセプタクル基板１３Ｅにおけるレセプタクル１３１Ｅが実装された面とは反対側の面に装着され、当該レセプタクル基板１３Ｅに設けられた配線パターン（患者回路部）を覆う。また、第２シールド部材１５Ｆ２は、開口部分が患者基板１４Ｅにおける配線パターンや電子部品が設けられた面に装着され、当該患者基板１４Ｅに設けられた配線パターンや電子部品（患者回路部）を覆う。なお、レセプタクル基板１３Ｅに設けられた配線パターンと、患者基板１４Ｅに設けられた配線パターンとは、第１，第２シールド部材１５Ｆ１，１５Ｆ２にそれぞれ形成された開口部１５５，１５６（図１７）に通されたハーネスＨａ（図１７）を介して互いに導通する。
しかしながら、図１７に示した構成では、ハーネスＨａの一部は、第１，第２シールド部材１５Ｆ１，１５Ｆ２の外部に位置する。このため、第１，第２シールド部材１５Ｆ１，１５Ｆ２の外部に位置するハーネスＨａの一部がアンテナとして機能し、外部から当該ハーネスＨａの一部（患者回路部）へのノイズの混入、あるいは、当該ハーネスＨａの一部（患者回路部）から外部へのノイズの送信が行われ易い。すなわち、シールド性が悪い、という問題がある。
【０００７】
本発明は、上記に鑑みてなされたものであって、構造の簡素化を図りつつ、シールド性を向上させることができるレセプタクルモジュール、及び医療機器を提供することを目的とする。
【課題を解決するための手段】
【０００８】
上述した課題を解決し、目的を達成するために、本発明に係るレセプタクルモジュールは、被検体に接触または挿入される先端装置のコネクタが着脱自在に接続されるレセプタクルモジュールであって、前記コネクタが着脱自在に接続されるレセプタクルが実装されたレセプタクル基板と、前記レセプタクルを介して前記先端装置に導通する患者回路部と、前記レセプタクル基板に対して前記レセプタクルが実装された面とは反対側の面に装着され、当該レセプタクルが実装された面とは反対側から前記患者回路部を覆う導電性のシールド部材とを備えることを特徴とする。
【０００９】
また、本発明に係るレセプタクルモジュールでは、上記発明において、前記レセプタクル基板及び前記シールド部材の間に配置され、前記レセプタクルが実装された面とは反対側から当該シールド部材にて覆われる患者基板をさらに備え、前記患者回路部は、前記レセプタクル基板に設けられ、前記レセプタクルに導通する第１患者回路部と、前記患者基板に設けられ、前記第１患者回路部に導通する第２患者回路部とを備えることを特徴とする。
【００１０】
また、本発明に係るレセプタクルモジュールでは、上記発明において、前記レセプタクル基板及び前記患者基板は、互いに対向する姿勢で配置されることを特徴とする。
【００１１】
また、本発明に係るレセプタクルモジュールでは、上記発明において、前記患者回路部は、前記レセプタクル基板に設けられ、前記レセプタクルに導通する第１患者回路部を備え、前記レセプタクル基板には、前記第１患者回路部を囲み、当該第１患者回路部に対して電気的に絶縁されているとともに絶縁伝送部を介して接続された２次回路部が設けられ、前記シールド部材は、前記レセプタクル基板に装着されて前記２次回路部の基準電位に設定されることを特徴とする。
【００１２】
また、本発明に係るレセプタクルモジュールでは、上記発明において、前記絶縁伝送部は、前記レセプタクルが実装された面とは反対側から前記シールド部材にて覆われることを特徴とする。
【００１３】
また、本発明に係るレセプタクルモジュールでは、上記発明において、前記患者回路部は、前記レセプタクル基板に設けられ、前記レセプタクルに導通する第１患者回路部を備え、前記シールド部材は、前記レセプタクル基板に装着されて前記第１患者回路部の基準電位に設定されることを特徴とする。
【００１４】
また、本発明に係るレセプタクルモジュールでは、上記発明において、前記レセプタクル基板には、導電性のシールドパターンが設けられ、前記患者回路部は、前記シールドパターン及び前記シールド部材にて囲まれることを特徴とする。
【００１５】
また、本発明に係るレセプタクルモジュールでは、上記発明において、前記シールド部材は、前記レセプタクル基板に設けられたベース部と、前記ベース部に装着されるシールドケースとを備えることを特徴とする。
【００１６】
また、本発明に係る医療機器は、被検体に接触または挿入される先端装置と、前記先端装置のコネクタが着脱自在に接続される、上述したレセプタクルモジュールとを備えることを特徴とする。
【発明の効果】
【００１７】
本発明に係るレセプタクルモジュールでは、レセプタクル基板に対してレセプタクルが実装された面とは反対側の面にシールド部材を装着し、当該レセプタクルが実装された面とは反対側から当該シールド部材にて患者回路部を覆う構造を採用している。
このため、シールド部材を２体等に分割する必要がなく、当該シールド部材の構造の簡素化を図ることができる。また、シールド部材にて患者回路部を覆うことにより、患者回路部の一部（ハーネス等の一部）がシールド部材の外部に位置することがなく、患者回路部のシールド性を向上させることができる。
したがって、本発明に係るレセプタクルモジュールによれば、構造の簡素化を図りつつ、シールド性を向上させることができる、という効果を奏する。
【００１８】
また、本発明に係る医療機器は、上述したレセプタクルモジュールを備えるため、上述したレセプタクルモジュールと同様の作用及び効果を奏する。
【図面の簡単な説明】
【００１９】
【図１】図１は、本実施の形態に係る内視鏡装置の概略構成を示す図である。
【図２】図２は、内視鏡装置における１次回路、２次回路、及び患者回路の一例を示す図である。
【図３】図３は、レセプタクルモジュールを示す図である。
【図４】図４は、レセプタクルモジュールを示す図である。
【図５】図５は、レセプタクルモジュールを示す図である。
【図６】図６は、レセプタクル基板を示す図である。
【図７】図７は、本実施の形態の変形例１を示す図である。
【図８】図８は、本実施の形態の変形例２を示す図である。
【図９】図９は、本実施の形態の変形例３を示す図である。
【図１０】図１０は、本実施の形態の変形例３を示す図である。
【図１１】図１１は、本実施の形態の変形例４を示す図である。
【図１２】図１２は、本実施の形態の変形例４を示す図である。
【図１３】図１３は、本実施の形態の変形例５を示す図である。
【図１４】図１４は、本実施の形態の変形例５を示す図である。
【図１５】図１５は、本実施の形態の変形例５を示す図である。
【図１６】図１６は、従来の医療機器における課題を説明する図である。
【図１７】図１７は、従来の医療機器における課題を説明する図である。
【発明を実施するための形態】
【００２０】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２１】
〔内視鏡装置の概略構成〕
図１は、本実施の形態に係る内視鏡装置１の概略構成を示す図である。
内視鏡装置１は、本発明に係る医療機器に相当する。この内視鏡装置１は、医療分野において用いられ、生体内等の被検体を観察する装置である。この内視鏡装置１は、図１に示すように、挿入部２と、光源装置３と、ライトガイド４と、カメラヘッド５と、第１伝送ケーブル６と、表示装置７と、第２伝送ケーブル８と、制御装置９と、第３伝送ケーブル１０とを備える。
【００２２】
本実施の形態では、挿入部２は、硬性内視鏡で構成されている。すなわち、挿入部２は、硬質または少なくとも一部が軟質で細長形状を有し、生体内に挿入される。この挿入部２内には、１または複数のレンズを用いて構成され、被写体像を集光する光学系が設けられている。
光源装置３は、ライトガイド４の一端が接続され、制御装置９による制御の下、当該ライトガイド４の一端に生体内を照明する照明光を供給する。
ライトガイド４は、一端が光源装置３に着脱自在に接続されるとともに、他端が挿入部２に着脱自在に接続される。そして、ライトガイド４は、光源装置３から供給された光を一端から他端に伝達し、挿入部２に供給する。挿入部２に供給された光は、当該挿入部２の先端から出射され、生体内に照射される。生体内に照射され、当該生体内で反射された光（被写体像）は、挿入部２内の光学系により集光される。
【００２３】
カメラヘッド５は、挿入部２の基端（接眼部２ａ（図１））に着脱自在に接続される。そして、カメラヘッド５は、制御装置９による制御の下、挿入部２にて集光された被写体像を撮像し、当該撮像による画像信号（ＲＡＷ信号）を出力する。本実施の形態では、当該画像信号は、４Ｋ以上の画像信号である。
第１伝送ケーブル６は、両端にコネクタＣＮ１，ＣＮ２を有し、一端のコネクタＣＮ１（図１）が制御装置９に着脱自在に接続され、他端のコネクタＣＮ２（図１）がカメラヘッド５に着脱自在に接続される。そして、第１伝送ケーブル６は、カメラヘッド５から出力される画像信号を制御装置９に伝送するとともに、制御装置９から出力される制御信号、同期信号、クロック、及び駆動用電力等をカメラヘッド５にそれぞれ伝送する。
なお、第１伝送ケーブル６を介したカメラヘッド５から制御装置９への画像信号の伝送は、当該画像信号を光信号で伝送してもよく、あるいは、電気信号で伝送しても構わない。第１伝送ケーブル６を介した制御装置９からカメラヘッド５への制御信号、同期信号、クロックの伝送も同様である。
以上説明した挿入部２、カメラヘッド５、及び第１伝送ケーブル６は、本発明に係る先端装置１１（図１）に相当する。
【００２４】
制御装置９は、ＣＰＵ（Central Processing Unit）等を含んで構成され、光源装置３、カメラヘッド５、及び表示装置７の動作を統括的に制御する。
具体的に、制御装置９は、第１伝送ケーブル６を介してカメラヘッド５から取得した画像信号に対して所定の処理を施すことで映像信号を生成し、第２伝送ケーブル８を介して当該映像信号を表示装置７に出力する。そして、表示装置７は、当該映像信号に基づく画像を表示する。また、制御装置９は、第１，第３伝送ケーブル６，１０を介して、カメラヘッド５や光源装置３に対して制御信号等を出力する。
以上説明した制御装置９は、先端装置１１のコネクタＣＮ１が着脱自在に接続されるレセプタクルモジュール１２（図１）を備える。なお、レセプタクルモジュール１２の詳細な構成については後述する。
第３伝送ケーブル１０は、一端が光源装置３に着脱自在に接続され、他端が制御装置９に着脱自在に接続される。そして、第３伝送ケーブル１０は、制御装置９からの制御信号を光源装置３に伝送する。
【００２５】
〔１次回路、２次回路、及び患者回路について〕
図２は、内視鏡装置１における１次回路１００、２次回路２００、及び患者回路３００を説明する図である。
以上説明した内視鏡装置１には、図２に示すように、大きく分けて３つの回路（１次回路１００、２次回路２００、及び患者回路３００）が設けられている。
１次回路１００は、制御装置９内に設けられ、インレット１０１を介して商用電源に接続される。そして、１次回路１００は、２次回路２００及び患者回路３００にそれぞれ電力供給を行う。
【００２６】
２次回路２００は、制御装置９内に設けられ、例えば、カメラヘッド５から取得した画像信号に対して所定の処理を施す信号処理部（図示略）等を備える。この２次回路２００には、１次回路１００から第１絶縁トランスＩＴ１（図２）を介して電力供給される。すなわち、１次回路１００と２次回路２００とは、電気的に絶縁されている。また、２次回路２００は、保護接地されている。
患者回路３００は、先端装置１１が生体内に接触した際に当該生体自体がその回路の一部となる電気回路であって、先端装置１１と制御装置９内とに設けられ、例えば、挿入部２にて集光された被写体像を撮像する撮像素子（図示略）等を備える。この患者回路３００には、１次回路１００から第２絶縁トランスＩＴ２（図２）を介して電力供給される。すなわち、１次回路１００と患者回路３００とは、電気的に絶縁されている。また、患者回路３００は、２次回路２００に対しても電気的に絶縁されている。さらに、２次回路２００と患者回路３００とは、２次回路２００に設けられた第１インピーダンス素子Ｉｍ１と患者回路３００に設けられた第２インピーダンス素子Ｉｍ２とを介して絶縁デバイス４００にて接続されている。
ここで、第１，第２インピーダンス素子Ｉｍ１，Ｉｍ２としては、コンデンサ、コイル、抵抗等を例示することができる。また、絶縁デバイス４００としては、例えば、フォトカプラや高周波トランス等を例示することができる。そして、患者回路３００及び２次回路２００間では、絶縁デバイス４００を介して画像信号、制御信号、同期信号、及びクロック等が伝送される。
【００２７】
〔レセプタクルモジュールの構成〕
図３ないし図５は、レセプタクルモジュール１２を示す図である。具体的に、図３は、レセプタクルモジュール１２の全体斜視図である。図４は、図３に示したレセプタクルモジュール１２の分解斜視図である。図５は、レセプタクルモジュール１２を側方から見た図であって、シールド部材１５の内部を模式的に示す図である。なお、図３に示す矢印は、レセプタクル１３１に対するコネクタＣＮ１の挿入方向を示している。また、図５では、説明の便宜上、患者回路３００及び絶縁デバイス４００を実線で図示し、２次回路２００を一点鎖線で図示するとともに、第２接続コネクタ１３５の図示を省略している。
レセプタクルモジュール１２は、図３ないし図５に示すように、レセプタクル基板１３と、患者基板１４（図４，図５）と、シールド部材１５とを備える。
【００２８】
図６は、レセプタクル基板１３を示す図である。具体的に、図６は、レセプタクル１３１が実装された面１３ａとは反対側の面１３ｂ側からレセプタクル基板１３を見た図である。
レセプタクル基板１３は、ガラスエポキシ樹脂等の絶縁性材料で構成され、平面視矩形状の板体である。このレセプタクル基板１３には、図６に示すように、第１の２次回路部１３２と、第１患者回路部１３３とが設けられている。本実施の形態では、レセプタクル基板１３は、多層のプリント基板で構成されている。
【００２９】
第１の２次回路部１３２は、図６に示すように、レセプタクル基板１３において、外縁に沿って延在する矩形枠状の領域に設けられている。この第１の２次回路部１３２は、信号線として機能する配線パターンや、グランド線として機能する配線パターン等で構成され、２次回路２００の一部を構成する。すなわち、第１の２次回路部１３２は、本発明に係る２次回路部に相当する。また、第１の２次回路部１３２（主に当該第１の２次回路部１３２のグランド線）は、本発明に係るシールドパターンに相当する。
第１患者回路部１３３は、信号線として機能する配線パターンや、グランド線として機能する配線パターン等で構成され、レセプタクル基板１３において、第１の２次回路部１３２よりも面１３ｂ側の層に設けられている。また、第１患者回路部１３３は、図６に示すように、第１の２次回路部１３２にて囲まれる中央の領域に設けられている。そして、第１患者回路部１３３は、患者回路３００の一部を構成する。また、レセプタクル基板１３における面１３ａには、第１患者回路部１３３に導通するようにレセプタクル１３１が実装されている。
そして、第１の２次回路部１３２及び第１患者回路部１３３は、電気的に絶縁された状態で、レセプタクル基板１３に実装された絶縁デバイス４００（図５）にて接続されている。
【００３０】
レセプタクル基板１３の面１３ｂには、図３、図４、または図６に示すように、第１〜第４接続コネクタ１３４〜１３７が実装されている。
第１接続コネクタ１３４は、図６に示すように、面１３ｂに対して、第１の２次回路部１３２と平面的に重なる領域に実装され、当該第１の２次回路部１３２に導通する。この第１接続コネクタ１３４には、ハーネスＨａ（図５）等を介して、２次回路２００のうち、第１の２次回路部１３２以外の他の２次回路が設けられた２次回路基板５００（図５）が接続される。
第２接続コネクタ１３５は、図６に示すように、面１３ｂに対して、第１の２次回路部１３２と平面的に重なる領域に実装され、レセプタクル基板１３に設けられた銅箔等の配線パターン１３８を介して第１患者回路部１３３に導通する。なお、配線パターン１３８は、第１の２次回路部１３２よりも面１３ｂ側の層に設けられている。そして、第２接続コネクタ１３５には、ハーネス（図示略）等を介して、第２絶縁トランスＩＴ２に接続される。すなわち、患者回路３００には、第２接続コネクタ１３５を介して電力供給が行われる。
第３，第４接続コネクタ１３６，１３７は、図６に示すように、面１３ｂに対して、第１患者回路部１３３と平面的に重なる領域にそれぞれ実装され、当該第１患者回路部１３３にそれぞれ導通する。そして、これら第３，第４接続コネクタ１３６，１３７は、ＢｔｏＢコネクタで構成され、患者基板１４に接続する。
【００３１】
以上説明したレセプタクル基板１３において、第１の２次回路部１３２（２次回路２００）と第１患者回路部１３３及び配線パターン１３８（患者回路３００）とは、電気的に絶縁されていれば、異なる層に設けずに、同一の層に設けてもよい。また、レセプタクル基板１３としては、多層のプリント基板ではなく、単層のプリント基板で構成しても構わない。
【００３２】
患者基板１４は、ガラスエポキシ樹脂等の絶縁性材料で構成され、レセプタクル基板１３よりも平面サイズの小さい平面視矩形状の板体である。この患者基板１４には、図４に示すように、第２患者回路部１４１が設けられている。
第２患者回路部１４１は、信号線として機能する配線パターン、グランド線として機能する配線パターン、及び当該各配線パターンに導通する電子部品等で構成され、患者回路３００の一部を構成する。
以上説明した第１，第２患者回路部１３３，１４１は、本発明に係る患者回路部に相当する。
また、患者基板１４には、ＢｔｏＢコネクタでそれぞれ構成され、第３，第４接続コネクタ１３６，１３７とそれぞれ電気的に接続する第５，第６接続コネクタ１４２，１４３（図４）が実装されている。これら第５，第６接続コネクタ１４２，１４３は、第２患者回路部１４１と平面的に重なる領域にそれぞれ実装され、第２患者回路部１４１にそれぞれ導通する。すなわち、第１，第２患者回路部１３３，１４１は、第３〜第６接続コネクタ１３６，１３７，１４２，１４３を介して互いに導通する。
以上のように、本実施の形態では、患者基板１４は、レセプタクル基板１３に対して、面１３ｂに対向する姿勢で配置される。
【００３３】
シールド部材１５は、導電性材料から構成され、全体略直方体形状を有し、一つの側面が開口した容器状に形成されている。そして、シールド部材１５は、図３ないし図５に示すように、レセプタクル基板１３の面１３ｂに対して、当該開口部分が第１の２次回路部１３２と平面的に重なる領域に装着され（第１患者回路部１３３を囲むように装着され）、当該第１の２次回路部１３２のグランド線に導通する。すなわち、シールド部材１５は、２次回路２００の基準電位に設定される。そして、シールド部材１５は、面１３ｂ側から第１，第２患者回路部１３３，１４１を覆う。また、シールド部材１５は、レセプタクル基板１３（第１の２次回路部１３２の主にグランド線（本発明に係るシールドパターン））との間で、第１，第２患者回路部１３３，１４１を囲む。この際、絶縁デバイス４００、第３〜第６接続コネクタ１３６，１３７，１４２，１４３も、レセプタクル基板１３及びシールド部材１５にて囲まれる。一方、第１，第２接続コネクタ１３４，１３５は、シールド部材１５の外部に位置付けられる。
【００３４】
以上説明した本実施の形態によれば、以下の効果を奏する。
本実施の形態に係るレセプタクルモジュール１２では、レセプタクル基板１３の面１３ｂに対してシールド部材１５を装着し、当該シールド部材１５にて第１，第２患者回路部１３３，１４１を覆う構造を採用している。
このため、シールド部材１５を２体等に分割する必要がなく、当該シールド部材１５の構造の簡素化を図ることができる。その結果、レセプタクルモジュール１２の組立性を向上させ、製造コストを低減させることができる。また、シールド部材１５の構造を簡素化することで、レセプタクルモジュール１２の小型化及び軽量化も図ることができる。
特に、本発明に係る患者回路部として、レセプタクル基板１３に設けた第１患者回路部１３３と、患者基板１４に設けた第２患者回路部１４１との２つに分離している。このため、例えば、レセプタクル基板１３に全ての患者回路部を設けた構成と比較して、レセプタクル基板１３や患者基板１４の基板単体のサイズを小さくすることができる。
【００３５】
また、本実施の形態に係るレセプタクルモジュール１２では、シールド部材１５は、２次回路２００の基準電位に設定されている。
このため、シールド部材１５は、保護接地された２次回路２００の基準電位に設定されるため、第１，第２患者回路部１３３，１４１を安定にシールド（電磁遮蔽）することができる。
【００３６】
また、本実施の形態に係るレセプタクルモジュール１２では、第１の２次回路部１３２（主に当該第１の２次回路部１３２のグランド線）を本発明に係るシールドパターンとして機能させている。
このため、シールド部材１５及び第１の２次回路部１３２（主に当該第１の２次回路部１３２のグランド線）にて第１，第２患者回路部１３３，１４１を囲み、第１，第２患者回路部１３３，１４１のシールド性をさらに向上させることができる。
【００３７】
（その他の実施の形態）
ここまで、本発明を実施するための形態を説明してきたが、本発明は上述した実施の形態によってのみ限定されるべきものではない。
図７は、本実施の形態の変形例１を示す図である。具体的に、図７は、図５に対応した図である。なお、図７では、図５と同様に、患者回路３００及び絶縁デバイス４００を実線で図示し、２次回路２００を一点鎖線で図示するとともに、第２接続コネクタ１３５の図示を省略している。
上述した実施の形態において、レセプタクルモジュール１２の代わりに、図７に示した本変形例１に係るレセプタクルモジュール１２Ａを採用しても構わない。
レセプタクルモジュール１２Ａでは、上述した実施の形態で説明したレセプタクルモジュール１２に対して、シールド部材１５とは構造の異なるシールド部材１５Ａを採用している。
【００３８】
具体的に、シールド部材１５Ａは、図７に示すように、ベース部１５１と、シールドケース１５２とを備える。
ベース部１５１は、導電性材料から構成され、矩形枠形状を有する。そして、ベース部１５１は、レセプタクル基板１３の面１３ｂに対して、第１の２次回路部１３２と平面的に重なる領域に実装され（第１患者回路部１３３を囲むように実装され）、当該第１の２次回路部１３２のグランド線に導通する。
シールドケース１５２は、導電性材料から構成され、全体略直方体形状を有し、一つの側面が開口した容器状に形成されている。そして、シールドケース１５２は、当該開口部分がベース部１５１に対してスナップフィットまたはネジ等により着脱自在に接続される。ベース部１５１に対してシールドケース１５２が装着された状態では、シールド部材１５Ａは、上述した実施の形態と同様に、２次回路２００の基準電位に設定された状態で、レセプタクル基板１３（第１の２次回路部１３２の主にグランド線（本発明に係るシールドパターン））との間で、第１，第２患者回路部１３３，１４１、絶縁デバイス４００、第３〜第６接続コネクタ１３６，１３７，１４２，１４３を囲む。一方、第１，第２接続コネクタ１３４，１３５は、上述した実施の形態と同様に、シールド部材１５Ａの外部に位置付けられる。
【００３９】
以上説明した本変形例１によれば、上述した実施の形態と同様の効果の他、以下の効果を奏する。
本変形例１に係るレセプタクルモジュール１２Ａでは、シールド部材１５Ａは、スナップフィットまたはネジ等により互いに接続されるベース部１５１及びシールドケース１５２を備える。このため、レセプタクルモジュール１２の組立性をさらに向上させることができる。
【００４０】
図８は、本実施の形態の変形例２を示す図である。具体的に、図８は、図５に対応した図である。なお、図８では、図５と同様に、患者回路３００及び絶縁デバイス４００を実線で図示し、２次回路２００を一点鎖線で図示するとともに、第２接続コネクタ１３５の図示を省略している。
上述した実施の形態において、レセプタクルモジュール１２の代わりに、図８に示した本変形例２に係るレセプタクルモジュール１２Ｂを採用しても構わない。
レセプタクルモジュール１２Ｂでは、上述した実施の形態で説明したレセプタクルモジュール１２に対して、第３接続コネクタ１３６の実装位置が異なるとともに、患者基板１４とは異なる構成の患者基板１４Ｂを採用している。
【００４１】
具体的に、第３接続コネクタ１３６は、図８に示すように、レセプタクル基板１３の面１３ｂに対して、第１の２次回路部１３２と平面的に重なる領域に実装され、当該第１の２次回路部１３２に導通する。
また、患者基板１４Ｂには、図８に示すように、上述した実施の形態で説明した患者基板１４に対して、第２の２次回路部１４４が設けられている。
第２の２次回路部１４４は、信号線として機能する配線パターン、グランド線として機能する配線パターン、及び当該各配線パターンに導通する電子部品等で構成され、２次回路２００の一部を構成する。そして、第２患者回路部１４１及び第２の２次回路部１４４は、電気的に絶縁された状態で、患者基板１４Ｂに実装された絶縁デバイス４００（図８）にて接続されている。また、第５接続コネクタ１４２は、第２の２次回路部１４４と平面的に重なる領域に実装され、当該第２の２次回路部１４４に導通する。すなわち、第１，第２の２次回路部１３２，１４４は、第３，第５接続コネクタ１３６，１４２を介して互いに導通する。一方、第１，第２患者回路部１３３，１４１は、第４，第６接続コネクタ１３７，１４３を介して互いに導通する。
【００４２】
そして、シールド部材１５は、２次回路２００の基準電位に設定された状態で、レセプタクル基板１３（第１の２次回路部１３２の主にグランド線（本発明に係るシールドパターン））との間で、第１，第２患者回路部１３３，１４１、第２の２次回路部１４４、絶縁デバイス４００、第３〜第６接続コネクタ１３６，１３７，１４２，１４３を囲む。一方、第１，第２接続コネクタ１３４，１３５は、上述した実施の形態と同様に、シールド部材１５の外部に位置付けられる。
【００４３】
以上説明した本変形例２のように患者基板１４Ｂに第２の２次回路部１４４を設けた構成とした場合であっても、上述した実施の形態と同様の効果を奏する。
【００４４】
図９及び図１０は、本実施の形態の変形例３を示す図である。具体的に、図９は、図５に対応した図である。なお、図９では、図５と同様に、患者回路３００及び絶縁デバイス４００を実線で図示し、２次回路２００を一点鎖線で図示するとともに、第２接続コネクタ１３５の図示を省略している。図１０は、図６に対応した図である。
上述した実施の形態において、レセプタクルモジュール１２の代わりに、図９に示した本変形例３に係るレセプタクルモジュール１２Ｃを採用しても構わない。
レセプタクルモジュール１２Ｃでは、上述した実施の形態で説明したレセプタクルモジュール１２に対して、レセプタクル基板１３とは異なる構成のレセプタクル基板１３Ｃを採用しているとともに、シールド部材１５の装着位置が異なる。
【００４５】
具体的に、レセプタクル基板１３Ｃは、図１０に示すように、上述した実施の形態で説明したレセプタクル基板１３に対して、第１の２次回路部１３２及び第１患者回路部１３３の形成領域が異なる。
第１の２次回路部１３２は、図１０に示すように、レセプタクル基板１３Ｃを平面的に見て左側の矩形状の領域と右側の矩形状の領域との２つの領域に区分けした場合に、当該左側の矩形状の領域に設けられている。一方、第１患者回路部１３３は、当該右側の矩形状の領域に設けられている。なお、第２接続コネクタ１３５は、レセプタクル基板１３Ｃの面１３ｂに対して、第１患者回路部１３３とは平面的にずれた領域に実装され、配線パターン１３８を介して当該第１患者回路部１３３に導通する。また、第３，第４接続コネクタ１３６，１３７は、上述した実施の形態と同様に、面１３ｂに対して、第１患者回路部１３３と平面的に重なる領域にそれぞれ実装され、当該第１患者回路部１３３にそれぞれ導通する。
【００４６】
シールド部材１５は、図９に示すように、レセプタクル基板１３Ｃの面１３ｂに対して、開口部分が第１患者回路部１３３と平面的に重なる領域（図１０に示した右側の矩形状の領域）に装着され、当該第１患者回路部１３３のグランド線に導通する。すなわち、シールド部材１５は、患者回路３００の基準電位に設定される。そして、シールド部材１５は、レセプタクル基板１３Ｃ（第１患者回路部１３３の主にグランド線（本発明に係るシールドパターン））との間で、第１患者回路部１３３の主に信号線、第２患者回路部１４１、及び第３〜第６接続コネクタ１３６，１３７，１４２，１４３を囲む。一方、絶縁デバイス４００、及び第１，第２接続コネクタ１３４，１３５は、シールド部材１５の外部に位置付けられる。
【００４７】
以上説明した本変形例３によれば、上述した実施の形態と同様の効果の他、以下の効果を奏する。
本変形例３に係るレセプタクルモジュール１２Ｃでは、シールド部材１５は、患者回路３００の基準電位に設定されている。
このため、レセプタクル基板１３Ｃにおいて、第１患者回路部１３３を平面的に囲むように第１の２次回路部１３２を設ける必要がない。このため、レセプタクル基板１３Ｃの設計の自由度を向上させることができる。また、レセプタクル基板１３Ｃにおいて、第１の２次回路部１３２と第１患者回路部１３３とを電気的に絶縁する構造を簡素化することができる。このため、レセプタクル基板１３Ｃの小型化を図ることができる。
【００４８】
図１１及び図１２は、本実施の形態の変形例４を示す図である。具体的に、図１１は、図５に対応した図である。なお、図１１では、図５と同様に、患者回路３００及び絶縁デバイス４００を実線で図示し、２次回路２００を一点鎖線で図示するとともに、第２接続コネクタ１３５の図示を省略している。図１２は、図６に対応した図である。
上述した実施の形態において、レセプタクルモジュール１２の代わりに、図１１に示した本変形例４に係るレセプタクルモジュール１２Ｄを採用しても構わない。
レセプタクルモジュール１２Ｄでは、上述した実施の形態で説明したレセプタクルモジュール１２に対して、レセプタクル基板１３及び患者基板１４とは異なる構成のレセプタクル基板１３Ｄ及び患者基板１４Ｂを採用しているとともに、シールド部材１５に開口部１５３を形成したシールド部材１５Ｄを採用し、さらに、当該シールド部材１５Ｄの装着位置が異なる。
【００４９】
具体的に、レセプタクル基板１３Ｄでは、図１１または図１２に示すように、上述した実施の形態で説明したレセプタクル基板１３に対して、第１の２次回路部１３２が省略されている。そして、第１患者回路部１３３は、図１２に示すように、レセプタクル基板１３Ｄの略全面に亘る領域に設けられている。また、レセプタクル基板１３Ｄでは、第１，第３接続コネクタ１３４，１３６が省略されている。なお、第２接続コネクタ１３５は、レセプタクル基板１３Ｄの面１３ｂに対して、第１患者回路部１３３とは平面的にずれた領域に実装され、配線パターン１３８を介して当該第１患者回路部１３３に導通する。すなわち、本変形例４では、上述した実施の形態で説明した配線パターン１３８が省略されている。また、第４接続コネクタ１３７は、上述した実施の形態と同様に、面１３ｂに対して、第１患者回路部１３３と平面的に重なる領域に実装され、当該第１患者回路部１３３に導通する。
【００５０】
患者基板１４Ｂは、上述した変形例２で説明した患者基板１４Ｂである。そして、患者基板１４Ｂにおいて、第２の２次回路部１４４と平面的に重なる領域には、図１１に示すように、当該第２の２次回路部１４４に導通する第１接続コネクタ１３４が実装されている。この第１接続コネクタ１３４には、シールド部材１５に形成された開口部１５３に通されたハーネスＨａ等を介して２次回路基板５００が接続される（図１１）。また、患者基板１４Ｂでは、図１１に示すように、第５接続コネクタ１４２が省略されている。
【００５１】
シールド部材１５Ｄは、図１１に示すように、レセプタクル基板１３Ｄの面１３ｂに対して、開口部分が第１患者回路部１３３と平面的に重なる領域に装着され、当該第１患者回路部１３３のグランド線に導通する。すなわち、シールド部材１５Ｄは、患者回路３００の基準電位に設定される。そして、シールド部材１５Ｄは、レセプタクル基板１３Ｄ（第１患者回路部１３３の主にグランド線（本発明に係るシールドパターン））との間で、第１患者回路部１３３の主に信号線、第２患者回路部１４１、第２の２次回路部１４４、第１，第４，第６接続コネクタ１３４，１３７，１４３、及び絶縁デバイス４００を囲む。一方、第２接続コネクタ１３５は、シールド部材１５Ｄの外部に位置付けられる。
【００５２】
以上説明した本変形例４のように患者基板１４Ｂに第２の２次回路部１４４を設けた構成とした場合であっても、上述した変形例３と同様の効果を奏する。
【００５３】
図１３ないし図１５は、本実施の形態の変形例５を示す図である。
上述した実施の形態において、本変形例５に示すように、２次回路２００の基準電位と患者回路３００の基準電位とを単体のコンデンサＣを介して接続する構成（図１３）や、互いに直列に接続したコンデンサＣ及びインダクタＬを介して接続する構成（図１４）を採用し、ノイズの混入や、漏れ電流を抑制しても構わない。
ここで、２次回路２００の基準電位と患者回路３００の基準電位とを比較的に大きい容量である第１の容量を有する単体のコンデンサＣを介して接続した構成（図１３、以下、第１の構成と記載）を採用した場合には、図１５に実線で示したように、コンデンサＣの自己共振周波数は、対象とするノイズの周波数帯域に位置する。すなわち、ノイズの混入を抑制することができる。一方、当該第１の構成を採用した場合には、図１５に実線で示したように、人が感電する低周波数帯域において、インピーダンスＺが比較的に低くなる。すなわち、漏れ電流を効果的に抑制することが難しい。
【００５４】
そこで、低周波数帯域においてインピーダンスＺを高くするために、２次回路２００の基準電位と患者回路３００の基準電位とを第１の容量よりも小さい容量である第２の容量を有する単体のコンデンサＣを介して接続する構成（図１３、以下、第２の構成と記載）を採用することが考えられる。しかしながら、当該第２の構成を採用した場合には、図１５に一点鎖線で示したように、コンデンサＣの自己共振周波数は、第１の構成（図１５の実線）よりも高くなり、対象とするノイズの周波数帯域から外れてしまう。すなわち、ノイズの混入を効果的に抑制することが難しい。
【００５５】
また、２次回路２００の基準電位と患者回路３００の基準電位とを第２の容量を有するコンデンサＣ及びインダクタＬを介して接続する構成（図１４、以下、第３の構成と記載）には、図１５に二点鎖線で示したように、第２の構成（図１５の一点鎖線）と比較して、低周波数帯域でのインピーダンスＺを変化させることなく、コンデンサＣ及びインダクタＬの直列共振周波数を対象とするノイズの周波数帯域に位置させることができる。すなわち、ノイズの混入、及び漏れ電流の双方を効果的に抑制することができる。
【００５６】
上述した実施の形態、及び変形例１〜５では、本発明に係る患者回路部として、第１，第２患者回路部１３３，１４１を採用していたが、これに限らず、第２患者回路部１４１（患者基板１４，１４Ｂ，１４Ｄ）を省略した構成を採用しても構わない。すなわち、本発明に係る患者回路部を全てレセプタクル基板１３，１３Ｃ，１３Ｄに設けてもよい。
上述した実施の形態、及び変形例１〜５では、本発明に係る医療機器は、硬性内視鏡（挿入部２）を用いた内視鏡装置１で構成されていたが、これに限らない。例えば、軟性内視鏡を用いた内視鏡装置、超音波を用いた超音波診断システム、被検体にエネルギを付与して当該エネルギにて処置するエネルギ処置システム、あるいは、Ｘ線を用いたＸ線装置で本発明に係る医療機器を構成しても構わない。
【符号の説明】
【００５７】
１  内視鏡装置
２  挿入部
２ａ  接眼部
３  光源装置
４  ライトガイド
５  カメラヘッド
６  第１伝送ケーブル
７  表示装置
８  第２伝送ケーブル
９  制御装置
１０  第３伝送ケーブル
１１  先端装置
１２，１２Ａ〜１２Ｆ  レセプタクルモジュール
１３，１３Ｃ〜１３Ｅ  レセプタクル基板
１３ａ，１３ｂ  面
１４，１４Ｂ，１４Ｄ，１４Ｅ  患者基板
１５，１５Ａ，１５Ｄ，１５Ｅ  シールド部材
１５Ｆ１  第１シールド部材
１５Ｆ２  第２シールド部材
１００  １次回路
１０１  インレット
１３１，１３１Ｅ  レセプタクル
１３２  第１の２次回路部
１３３  第１患者回路部
１３４  第１接続コネクタ
１３５  第２接続コネクタ
１３６  第３接続コネクタ
１３７  第４接続コネクタ
１３８  配線パターン
１４１  第２患者回路部
１４２  第５接続コネクタ
１４３  第６接続コネクタ
１４４  第２の２次回路部
１５１  ベース部
１５２  シールドケース
１５３〜１５６  開口部
２００  ２次回路
３００  患者回路
４００  絶縁デバイス
５００  ２次回路基板
Ｃ  コンデンサ
ＣＮ１，ＣＮ２  コネクタ
Ｈａ  ハーネス
Ｉｍ１  第１インピーダンス素子
Ｉｍ２  第２インピーダンス素子
ＩＴ１  第１絶縁トランス
ＩＴ２  第２絶縁トランス
Ｌ  インダクタ
【図１】
2019150403.tif 000003
【図２】
2019150403.tif 000004
【図３】
2019150403.tif 000005
【図４】
2019150403.tif 000006
【図５】
2019150403.tif 000007
【図６】
2019150403.tif 000008
【図７】
2019150403.tif 000009
【図８】
2019150403.tif 000010
【図９】
2019150403.tif 000011
【図１０】
2019150403.tif 000012
【図１１】
2019150403.tif 000013
【図１２】
2019150403.tif 000014
【図１３】
2019150403.tif 000015
【図１４】
2019150403.tif 000016
【図１５】
2019150403.tif 000017
【図１６】
2019150403.tif 000018
【図１７】
2019150403.tif 000019